(57)【要約】【課題】接着剤層とコネクタとの間の接着力を向上させることができ、長期使用時における防水信頼性が高い接続構造体を提供する。【解決手段】接続構造体１は、接着剤層２と、接着剤層２の層面と接する接着面３０を有するコネクタ３と、を有している。接着面３０は、凹部３１１と凸部３１２とを備える表面凹凸部３１を有している。凹部３１１内には、接着剤層２の一部が入り込んでいる。接続構造体１は、凹部３１１内を横切る繊維状物質５を有する構成とすることができる。コネクタ３は、エンジニアリングプラスチックより構成することができる。【選択図】図１
2018116768.tif 000002
【特許請求の範囲】
【請求項１】
接着剤層と、上記接着剤層の層面と接する接着面を有するコネクタと、を有する接続構造体であって、
上記接着面は、凹部と凸部とを備える表面凹凸部を有しており、
上記凹部内に、上記接着剤層の一部が入り込んでいる、接続構造体。
【請求項２】
上記凹部内を横切る繊維状物質を有する、請求項１に記載の接続構造体。
【請求項３】
上記繊維状物質は、無機繊維である、請求項２に記載の接続構造体。
【請求項４】
上記接着剤層は、フィラーを含有しており、
上記凹部の入口開口の大きさは、上記フィラーの外径よりも大きい、請求項１〜３のいずれか１項に記載の接続構造体。
【請求項５】
上記凹部は、上記凹部の深さ方向における開口距離が深さ方向に向かって大きくなる、請求項１〜４のいずれか１項に記載の接続構造体。
【請求項６】
上記凹部は、複数の溝部または複数の穴部より構成されている、請求項１〜５のいずれか１項に記載の接続構造体。
【請求項７】
上記コネクタは、エンジニアリングプラスチックより構成されている、請求項１〜６のいずれか１項に記載の接続構造体。
【発明の詳細な説明】
【技術分野】
【０００１】
本発明は、接続構造体に関する。
【背景技術】
【０００２】
従来、種々の分野において、接着剤層とコネクタとを有する接続構造体が用いられている。
【０００３】
例えば、自動車等の車両の分野では、制御ボックス中の電子制御回路に電力や信号を供給するために、コネクタを介して制御ボックスに電線が接続される（特許文献１参照）。コネクタは、制御ボックスとは別体となっている場合が多い。そのため、制御ボックスとコネクタとを接続すると隙間が生じる。隙間があると、そこから制御ボックス内に水が入り込み、故障の原因となる。これを防ぐため、制御ボックスとコネクタとの間の隙間を接着剤で埋めて固めることが行われている。この際に、接着剤層とコネクタとを有する接続構造体が形成される。
【先行技術文献】
【特許文献】
【０００４】
【特許文献１】特開２００４−１８６０３９号公報
【発明の概要】
【発明が解決しようとする課題】
【０００５】
接着剤層を用いる手法は、防水性を担保するために常に圧力を加え続ける必要があるゴムパッキンを用いる手法に比べ、構造を問わない分、適用範囲が広い。しかしながら、コネクタは、耐熱性等への対応から、エンジニアリングプラスチック等の接着剤が接着し難い材料で作製されることが多くなってきている。そのため、接着剤層を用いる手法では、高い接着性を確保することができず、その結果、十分な防水性を担保することが困難な状況になっている。
【０００６】
また、接着剤層の接着性を向上させるために、官能基の導入や反応性を向上させる添加剤を添加することなども考えられる。しかし、このような処方によれば、接着剤層の耐熱性、耐湿性、耐薬品性等が低下し、長期使用時における防水信頼性が低下するおそれがある。
【０００７】
本発明は、上記背景に鑑みてなされたものであり、接着剤層とコネクタとの間の接着力を向上させることができ、長期使用時における防水信頼性が高い接続構造体を提供しようとするものである。
【課題を解決するための手段】
【０００８】
本発明の一態様は、接着剤層と、上記接着剤層の層面と接する接着面を有するコネクタと、を有する接続構造体であって、
上記接着面は、凹部と凸部とを備える表面凹凸部を有しており、
上記凹部内に、上記接着剤層の一部が入り込んでいる、接続構造体にある。
【発明の効果】
【０００９】
上記接続構造体は、表面凹凸部を有するコネクタの接着面における凹部内に、接着剤層の一部が入り込んでいる。そのため、コネクタと接着剤層との接着面積が、表面凹凸部がない場合に比べて大きくなる。また、コネクタと接着剤層との間の化学的接着だけでなく、コネクタと接着剤層との間に機械的なアンカー効果も生じる。それ故、上記接続構造体によれば、コネクタと接着剤層との間の接着力を向上させることができる。また、上記接続構造体によれば、接着剤層中に官能基の導入や反応性を向上させる添加剤の添加を抑制することができる。そのため、上記接続構造体によれば、接着剤層の耐熱性、耐湿性、耐薬品性等が低下し難く、長期使用時における防水信頼性を向上させることができる。例えば、接着剤層がシリコーン系接着剤により形成される場合、通常であれば、接着性を上げるために官能基の導入やシランカップリング剤が添加されることが多い。上記接続構造体によれば、官能基の導入やシランカップリング剤の添加等が抑制されたシリコーン系接着剤より接着剤層を形成した場合でも、長期使用時における防水信頼性を向上させることができる。
【図面の簡単な説明】
【００１０】
【図１】実施例１の接続構造体の一部を模式的に示した説明図である。
【図２】実施例１の接続構造体における表面凹凸部の断面を拡大して示した説明図である。
【図３】実施例２の接続構造体における表面凹凸部の断面を拡大して示した説明図である。
【図４】実施例３の接続構造体における表面凹凸部の断面を拡大して示した説明図である。
【図５】実施例４の接続構造体における表面凹凸部の断面を拡大して示した説明図である。
【図６】実施例５の接続構造体の一部を模式的に示した説明図である。
【図７】（ａ）は、実験例における、溝部の深さが５０μｍ、溝部間のピッチが１００μｍであるプラスチック板材の表面凹凸部の光学像、（ｂ）は、実験例における、溝部の深さが５０μｍ、溝部間のピッチが２００μｍであるプラスチック板材の表面凹凸部の光学像である。
【図８】実験例における、溝部間のピッチと接着強度との関係を示したグラフである。
【図９】実験例における、溝部の深さと接着強度との関係を示したグラフである。
【発明を実施するための形態】
【００１１】
上記接続構造体において、接着剤層は、一方の層面がコネクタの接着面に接する。なお、接着剤層は、上記接続構造体の使用時に、他方の層面が接着剤層を介してコネクタと接着されるべき相手部材と接することになる。したがって、接着剤層の他方の層面の表面形状は、相手部材の表面形状によって決まることになる。
【００１２】
上記接続構造体において、接着剤層は、具体的には、コネクタと金属部材との間を接着する層とすることができる。金属部材は、より具体的には、自動車等の車両などに搭載される電子制御回路を内部に収容する金属製の制御ボックスなどを例示することができる。従来技術によれば、金属製の制御ボックスと接着剤層との間の接着力は、コネクタと接着剤層との間の接着力よりも大きくなりやすい。そのため、接着剤層を破壊してコネクタを取り除くと、制御ボックス側に接着剤層が取り残されてしまい、制御ボックスの再利用が困難になる。これに対して、上記構成によれば、コネクタと接着剤層との間の接着力を、金属製の制御ボックスと接着剤層との間の接着力よりも大きくすることが可能となる。そのため、接着剤層を破壊してコネクタを取り除く際に、コネクタ側へ接着剤層が残りやすく、制御ボックス側へ接着剤層が残り難くなるようにすることが可能となる。それ故、上記構成によれば、金属製の制御ボックス等の金属部材を再利用しやすい接続構造体が得られる。
【００１３】
上記接続構造体において、コネクタの接着面は、多数の凹部および多数の凸部とを備える表面凹凸部を有している。接着面は、接着面の一部または全部に表面凹凸部を有することができる。凹部は、具体的には、例えば、複数の溝部、複数の穴部、これらの組み合わせなどより構成することができる。凹部は、好ましくは、複数の溝部より構成することができる。この構成によれば、凹部が複数の穴部より構成されている場合に比べ、接着剤層と接着する際の接着面積を大きくしやすくなるため、上述した効果を確実なものとしやすい。凹部は、より具体的には、複数の線状の溝部より構成することができる。この場合、凹部は、例えば、一方向を向く複数の線状の溝部が上記一方向と交差する方向（垂直な方向等）に互いに離間して配置された構成等とすることができる。また、凹部は、例えば、複数の線状の溝部を格子状（碁盤目状）に配置して構成することもできる。なお、凹部を穴部より構成する場合、凹部は、より具体的には、複数の非貫通の穴部より構成することができる。この場合、凹部は、例えば、複数の非貫通の穴部を行方向および列方向に互いに離間した状態で配列することができる。
【００１４】
凹部の深さ方向における開口距離は、凹部の深さ方向でほぼ一定とすることができる。また、凹部の深さ方向における開口距離は、凹部の深さ方向における開口距離が深さ方向に向かって小さくなる構成とすることができる。それ以外にも、凹部は、凹部の深さ方向における開口距離が深さ方向に向かって大きくなる構成とすることもできる。この構成によれば、コネクタから接着剤層が剥離する方向に荷重が掛かった場合でも、凹部内に入り込んでいる接着剤層の一部が凹部に引っ掛かって凹部から抜け出し難い。そのため、この構成によれば、コネクタと接着剤層との間の接着力をより一層向上させることができ、防水性の確保をより確実なものとしやすくなる。なお、上記「開口距離」は、凹部の深さ方向に垂直な方向の凹部の壁面間距離を意味する。したがって、凹部が溝部である場合には、凹部の深さ方向における開口距離は、溝部の深さ方向に垂直な方向の溝部の壁面間距離（溝部の深さ方向に垂直な方向の溝部の幅）となる。また、凹部が穴部である場合には、凹部の深さ方向における開口距離は、穴部の深さ方向に垂直な方向の穴部の壁面間距離（穴部の深さ方向に垂直な方向の開口径）となる。凹部は、例えば、レーザーエッチング、プラズマエッチング、ケミカルエッチング、研削加工、これらの組み合わせ等によって形成することができる。
【００１５】
また、凹部の深さは、凹部形成性、接着力の確保などの観点から、好ましくは、３０μｍ以上、より好ましくは、５０μｍ以上、さらに好ましくは、８０μｍ以上とすることができる。一方、凹部の深さは、接着面積の確保、コネクタ材料へのダメージ抑制などの観点から、好ましくは、３００μｍ以下、より好ましくは、１５０μｍ以下、さらに好ましくは、１２０μｍ以下とすることができる。
【００１６】
上記接続構造体において、コネクタは、具体的には、エンジニアリングプラスチックにより構成することができる。エンジニアリングプラスチックは、接着剤が接着し難い材料である。そのため、上記構成を採用することで、エンジニアリングプラスチック製のコネクタであっても、コネクタと接着剤層との間の接着力を確保することができ、防水性を確保しやすい接続構造体が得られる。また、通常であればエンジニアリングプラスチックに対して接着性に劣る接着剤であっても接着剤層に適用して防水性を確保することが可能となる。エンジニアリングプラスチックとしては、例えば、ポリブチレンテレフタレート系樹脂、ポリフェニレンサルファイド樹脂（ＰＰＳ）、ポリプロピレン、ポリエチレンテレフタラート、ナイロン、ポリカーボネート、ポリアセタール、フッ素樹脂、ポリアリレート、液晶ポリマー、ポリスルホン、ポリエーテルスルホン、ポリエーテルエーテルケトン、ポリエーテルイミド、ポリアミドイミドなどを例示することができる。エンジニアリングプラスチックは、後述する繊維状物質などを含むことができる。
【００１７】
上記接続構造体において、コネクタは、凹部内を横切る繊維状物質を有する構成とすることができる。この構成によれば、凹部内を横切る繊維状物質が、凹部内に入り込んだ接着剤層の一部を貫通することになる。そのため、この構成によれば、凹部内の空間を架橋する（橋架けする）繊維状物質によって、凹部内に入り込んだ接着剤層の一部が引き抜かれ難くなり、コネクタと接着剤層との間の接着力が向上し、防水性の確保をより確実なものとすることが可能となる。
【００１８】
繊維状物質としては、例えば、ガラス繊維、セラミックスファイバーなどの無機繊維等を好適なものとして例示することができる。これらは１種または２種以上併用することができる。上記繊維状物質が無機繊維である場合には、コネクタ材料中に繊維状物質を含有させ、レーザーエッチング、プラズマエッチング、ケミカルエッチング、これらの組み合わせ等によってコネクタ材料中の樹脂分等の有機分を選択的にエッチングして凹部を形成することで、繊維状物質が凹部内を横切る構造を比較的容易に形成することができる。
【００１９】
上記接続構造体において、接着剤層の材質としては、コネクタ材料に対して接着性を有するものであれば、基本的に使用することができる。コネクタ材料に対してある程度の接着性があれば、上述した構成を有することによって、コネクタと接着剤層との接着力を確保して防水性を発揮させることができるためである。
【００２０】
接着剤層を構成する接着剤としては、具体的には、例えば、シリコーン系接着剤、エポキシ系接着剤、アクリル系接着剤、ウレタン系接着剤などを例示することができる。これらのうち、接着剤としては、好ましくは、耐熱性などの観点から、シリコーン系接着剤などを用いることができる。なお、接着剤層は、コネクタの接着面に接着剤を塗布することで、その一部を接着面の凹部内に入り込ませて凹部内に充填することができる。
【００２１】
接着剤層は、フィラーを含有することができる。なお、フィラーは、接着剤の強度を上げる、接着剤の粘度を高くすることで作業性を改善する、単価の低いフィラーを充填することで体積当たりのコストを下げるなどの利点がある。フィラーとしては、例えば、シリカ、アルミニウム、アルミナ、炭酸カルシウム、カーボンブラックなどを例示することができる。これらは１種または２種以上併用することができる。
【００２２】
接着剤層がフィラーを含有している場合、凹部の入口開口の大きさは、フィラーの外径よりも大きい構成とすることができる。この構成によれば、接着面の表面凹凸部に接着剤層を形成するための接着剤を塗布した際に、接着剤が凹部内へ入り込むのをフィラーが阻害し難くなり、凹部内に接着剤層の一部が入り込んだ微構造を形成しやすくなる。より具体的には、凹部が溝部より構成される場合には、凹部の入口開口の大きさは、溝部の入口部分の溝幅となる。また、凹部が穴部より構成される場合には、凹部の入口開口の大きさは、穴部の入口部分の直径となる。なお、凹部の入口開口の大きさとフィラー外径との大小関係は、凹部を断面観察することなどによって把握することができる。
【００２３】
凹部の入口開口の大きさは、好ましくは、５μｍ以上、より好ましくは、７μｍ以上、さらに好ましくは、１０μｍ以上とすることができる。この場合には、接続構造体の製造時における凹部への接着剤の流れ込み性が向上し、凹部内に接着剤層の一部が入り込んだ構造を確実なものとしやすい。一方、凹部の入口開口の大きさは、凹部と接着剤層との接着面積を十分に確保するなどの観点から、好ましくは、２００μｍ以下、より好ましくは、１５０μｍ以下、さらに好ましくは、１００μｍ以下とすることができる。
【００２４】
なお、上述した各構成は、上述した各作用効果等を得るなどのために必要に応じて任意に組み合わせることができる。
【実施例】
【００２５】
以下、実施例の接続構造体について、図面を用いて説明する。なお、同一部材については同一の符号を用いて説明する。
【００２６】
（実施例１）
実施例１の接続構造体について、図１、図２を用いて説明する。図１、図２に示されるように、本例の接続構造体１は、接着剤層２と、接着剤層２の層面と接する接着面３０を有するコネクタ３と、を有している。本例では、接着剤層２の他方の層面は、金属部材６に接触させる。具体的には、本例では、接着剤層２の他方の層面は、電子制御回路を内部に収容する、金属部材６としての金属製の制御ボックスに接触させる。つまり、本例の接続構造体は、金属製の制御ボックス中の電子制御回路に電力や信号を供給するためにコネクタを介して電線を接続する際に用いられるものである。なお、図１では、金属部材６は省略されている。また、図２では、金属部材６の一部が模式的に図示されている。なお、コネクタ３は、接着剤層２に接しない非接着面（不図示）も有している。
【００２７】
ここで、接着面３０は、凹部３１１と凸部３１２とを備える表面凹凸部３１を有している。本例では、凹部３１１は、複数の溝部より構成されている。より具体的には、凹部３１１は、一方向を向く複数の線状の溝部が上記一方向と垂直な方向に互いに離間して配置された構成を有している。溝部の入口部分の溝幅は、例えば、２０〜１５０μｍとすることができる。また、隣り合う溝部間のピッチは、例えば、５０〜３００μｍとすることができる。また、溝部の深さは、５０〜１５０μｍとすることができる。なお、本例では、溝部の深さ方向に垂直な方向の溝部の幅は、溝部の深さ方向に向かって小さくなる構成とされている。このような形態の凹部３１１は、レーザーエッチング加工により形成することができる。
【００２８】
表面凹凸部３１における凹部３１１内には、接着剤層２の一部が入り込んでおり、凹部３１１内は、接着剤層２を構成する接着剤によって満たされている。本例では、コネクタ３は、具体的には、ポリブチレンテレフタレート等のエンジニアリングプラスチックより構成されている。接着剤層を構成する接着剤は、具体的には、シリコーン系接着剤より構成されている。
【００２９】
次に、本例の接続構造体の作用効果について説明する。
【００３０】
本例の接続構造体１は、表面凹凸部３１を有するコネクタ３の接着面３０における凹部３１１内に、接着剤層２の一部が入り込んでいる。そのため、コネクタ３と接着剤層２との接着面積が、表面凹凸部３１がない場合に比べて大きくなる。また、コネクタ３と接着剤層２との間の化学的接着だけでなく、コネクタ３と接着剤層２との間に機械的なアンカー効果も生じる。それ故、本例の接続構造体１によれば、コネクタ３と接着剤層２との間の接着力を向上させることができる。また、本例の接続構造体１によれば、接着剤層２中に官能基の導入や反応性を向上させる添加剤の添加を抑制することができる。そのため、本例の接続構造体１によれば、接着剤層２の耐熱性、耐湿性、耐薬品性等が低下し難く、長期使用時における防水信頼性を向上させることができる。接着剤層２がシリコーン系接着剤により形成される場合、通常であれば、接着性を上げるために官能基の導入やシランカップリング剤が添加されることが多い。本例の接続構造体１によれば、官能基の導入やシランカップリング剤の添加等が抑制されたシリコーン系接着剤より接着剤層２を形成した場合でも、長期使用時における防水信頼性を向上させることができる。
【００３１】
また、本例の接続構造体１によれば、コネクタ３と接着剤層２との間の接着力を、金属部材６としての制御ボックスと接着剤層２との間の接着力よりも大きくすることが可能となる。そのため、コネクタ３を取り除く際に、コネクタ３側へ接着剤層２が残りやすく、制御ボックス側へ接着剤層２が残り難くなるようにすることが可能となる。それ故、上記接続構造体１によれば、金属製の制御ボックスを再利用しやすい接続構造体１が得られる。
【００３２】
（実施例２）
実施例２の接続構造体について、図３を用いて説明する。
【００３３】
本例の接続構造体１において、凹部３１１は、凹部３１１の深さ方向における開口距離が深さ方向に向かって大きくなる構成とされている。このような形態の凹部３１１は、レーザーエッチング加工後、ケミカルエッチング加工を施すことにより形成することができる。その他の構成は、実施例１と同様である。
【００３４】
本例の接続構造体１によれば、コネクタ３から接着剤層２が剥離する方向に荷重が掛かった場合でも、凹部３１１内に入り込んでいる接着剤層２の一部が凹部３１１に引っ掛かって凹部３１１から抜け出し難くなる。そのため、上記構成によれば、コネクタ３と接着剤層２との間の接着力をより一層向上させることができ、防水性の確保をより確実なものとしやすくなる。その他の作用効果は、実施例１と同様である。
【００３５】
（実施例３）
実施例３の接続構造体について、図４を用いて説明する。
【００３６】
本例の接続構造体１において、接着剤層２は、フィラー４を含有している。本例では、フィラー４は、球状の形状を有している。フィラー４は、具体的には、シリカとすることができる。凹部３１１の入口開口の大きさは、フィラー４の外径よりも大きく形成されている。つまり、本例では、溝部の入口部分の溝幅が、フィラー４の外径よりも大きく形成されている。
【００３７】
本例の接続構造体１によれば、接着面３０の表面凹凸部３１に接着剤層２を形成するための接着剤を塗布した際に、接着剤が凹部３１１内へ入り込むのをフィラー４が阻害し難くなり、凹部３１１内に接着剤層２の一部が入り込んだ微構造を形成しやすくなる。その他の作用効果は、実施例２と同様である。
【００３８】
（実施例４）
実施例４の接続構造体について、図５を用いて説明する。
【００３９】
本例の接続構造体１において、コネクタ３は、凹部３１１内を横切る繊維状物質５を有している。本例では、繊維状物質５は、無機繊維とすることができる。また、繊維状物質５は、コネクタ３の内部にも存在している。つまり、本例は、コネクタ材料中に含有させた繊維状物質５が凹部３１１に露出し、凹部３１１内を横切って存在している例である。その他の構成は、実施例２と同様である。
【００４０】
本例の接続構造体１によれば、凹部３１１内を横切る繊維状物質が、凹部３１１内に入り込んだ接着剤層２の一部を貫通している。そのため、本例の接続構造体１によれば、凹部３１１内の空間を架橋する（橋架けする）繊維状物質５によって、凹部３１１内に入り込んだ接着剤層２が引き抜かれ難くなり、コネクタ３と接着剤層２との間の接着力が向上し、防水性の確保をより確実なものとすることが可能となる。その他の作用効果は、実施例２と同様である。
【００４１】
（実施例５）
実施例５の接続構造体について、図６を用いて説明する。なお、図６は、図１に対応するものであるが、便宜上、接着剤層２は省略されている。
【００４２】
本例の接続構造体１において、凹部３１１は、複数の穴部より構成されている。より具体的には、凹部３１１は、複数の非貫通の穴部が行方向および列方向に互いに離間した状態で配列された構成を有している。穴部の入口部分の直径は、例えば、２０〜２００μｍとすることができる。また、隣り合う穴部間の間隔は、例えば、５０〜３００μｍとすることができる。また、穴部の深さは、５０〜１５０μｍとすることができる。なお、本例では、穴部の深さ方向に垂直な方向の開口径は、穴部の深さ方向でほぼ一定とされている。その他の構成は、実施例１と同様である。
【００４３】
本例の接続構造体１によっても、実施例１と同様に、接着剤層２とコネクタ３との間の接着力を向上させることができ、長期使用時における防水信頼性が高い接続構造体１が得られる。
【００４４】
＜実験例＞
以下、上記接続構造体を、実験例を用いてより具体的に説明する。
樹脂製のコネクタハウジングを模擬したプラスチック板材を複数準備した。プラスチック板材は、ガラス繊維入りのポリブチレンテレフタレートより形成されている。準備した複数のプラスチック板材の片面に、加工条件を変えてレーザーエッチング加工をそれぞれ施すことにより、溝部の深さ、溝部間のピッチが異なる格子状の溝部を形成した。なお、溝部の深さ方向に垂直な方向の溝部の幅は、溝部の深さ方向に向かって小さくなる構成とされている。また、溝部の深さ、溝部間のピッチは、レーザー強度、レーザーのスポット径、パルス幅、照射時間を変えることにより調整した。代表例として、図７（ａ）に、溝部の深さが５０μｍ、溝部間のピッチが１００μｍであるプラスチック板材の表面凹凸部の光学像、図７（ｂ）に、溝部の深さが５０μｍ、溝部間のピッチが２００μｍであるプラスチック板材の表面凹凸部の光学像を示す。上述したようにレーザーエッチング加工の条件を変えてポリブチレンテレフタレートだけを選択的にエッチングすることで、図７に示されるように、形成された溝部の空間（凹部内）に、ガラス繊維を横切るように存在させることができることが確認された。
【００４５】
次に、上記表面凹凸部を形成したプラスチック板材の各板面上に、接着剤１（縮合型シリコーン系接着剤、スリーボンド社製、「ＴＢ１２０７Ｆ」、形成した凹部の入口開口よりも外径が小さいフィラーを含む）を厚み１００μｍにてそれぞれ塗布して凹部内に接着剤を流し込むとともに、形成した各接着剤層にそれぞれ金属板（制御ボックスを模擬）を貼り合わせ、複数の試験体を作製した。また、上記接着剤１に代えて接着剤２（シリコーン系接着剤、スリーボンド社製、「ＴＢ１２８２Ｂ」、形成した凹部の入口開口よりも外径が小さいフィラーを含む）を用いた点以外は同様にして、複数の試験体を作製した。また、表面凹凸部を形成していない板材を用いた点以外は同様にして、比較用の試験体を作製した。
【００４６】
次いで、各試験体について、プラスチック板材と金属板とを引き剥がす、せん断引張試験を行い、接着強度を求めた。図８に、溝部間のピッチと接着強度との関係を示す。また、図９に、溝部の深さと接着強度との関係を示す。
【００４７】
図８、図９に示されるように、プラスチック板材の板面に表面凹凸部を形成した場合には、プラスチック板材の板面に表面凹凸部を形成しなかった場合に比べ、いずれの接着剤を用いても、接着強度が上昇することが確認された。また、プラスチック板材の板面に表面凹凸部を形成した場合、破壊形態は、いずれも接着剤破壊であった。一方、プラスチック板材の板面に表面凹凸部を形成しなかった場合には、いずれの接着剤を用いても、プラスチック板材と接着剤層との界面にて破壊した。これらの結果から、コネクタの接着面に表面凹凸部を形成し、凹部に接着剤層の一部を食い込ませることで、コネクタと接着剤層との間の接着力が向上し、長期にわたって防水性を確保することができるといえる。
【００４８】
以上、本発明の実施例について詳細に説明したが、本発明は上記実施例、実験例に限定されるものではなく、本発明の趣旨を損なわない範囲内で種々の変更が可能である。
【符号の説明】
【００４９】
１  接続構造体
２  接着剤層
３  コネクタ
３０  接着面
３１  表面凹凸部
３１１  凹部
３１２  凸部
【図１】
2018116768.tif 000003
【図２】
2018116768.tif 000004
【図３】
2018116768.tif 000005
【図４】
2018116768.tif 000006
【図５】
2018116768.tif 000007
【図６】
2018116768.tif 000008
【図７】
2018116768.tif 000009
【図８】
2018116768.tif 000010
【図９】
2018116768.tif 000011